(57)【要約】  本開示は、ランダムアクセス方法及び関連機器を提供する。該方法において、Ｍｓｇ１の伝送設定情報に基づいて、Ｍｓｇ１のデータ部分をネットワーク側機器に伝送することを含む。【選択図】  図３
2021531701.tif 000002
【特許請求の範囲】
【請求項１】
端末機器に応用されるランダムアクセス方法であって、
Ｍｓｇ１の伝送設定情報に基づいて、Ｍｓｇ１のデータ部分をネットワーク側機器に伝送することを含む、ランダムアクセス方法。
【請求項２】
前記のＭｓｇ１の伝送設定情報に基づいて、Ｍｓｇ１のデータ部分をネットワーク側機器に伝送することは、
Ｍｓｇ１のデータ部分をＨＡＲＱ方式で伝送することが前記伝送設定情報によって指示される場合、前記Ｍｓｇ１のデータ部分をＨＡＲＱ方式でネットワーク側機器に送信することを含む、請求項１に記載のランダムアクセス方法。
【請求項３】
前記Ｍｓｇ１のデータ部分の伝送のためのＨＡＲＱの設定情報は、ＨＡＲＱプロセス識別子及びＨＡＲＱ冗長バージョン識別子の少なくとも一方を含む、請求項２に記載のランダムアクセス方法。
【請求項４】
前記のＭｓｇ１の伝送設定情報に基づいて、Ｍｓｇ１のデータ部分をネットワーク側機器に伝送することは、
ＨＡＲＱ方式によらずにＭｓｇ１のデータ部分を伝送することが前記伝送設定情報によって指示される場合、ＨＡＲＱで符号化されないＭｓｇ１のデータ部分をネットワーク側機器に伝送することを含む、請求項１に記載のランダムアクセス方法。
【請求項５】
前記のＭｓｇ１のデータ部分をネットワーク側機器に伝送することは、
Ｍｓｇ１のデータ部分を前記ネットワーク側機器に再送することである、請求項１に記載のランダムアクセス方法。
【請求項６】
前記のＭｓｇ１の伝送設定情報に基づいて、Ｍｓｇ１のデータ部分をネットワーク側機器に伝送することは、
再送条件が満たされた場合、Ｍｓｇ１の伝送設定情報に基づいて、前記Ｍｓｇ１のデータ部分をネットワーク側機器に再送することを含み、
前記再送条件は、
前記Ｍｓｇ１のデータ部分に対応するＭｓｇ２内容がＭｓｇ２の受信時間範囲内に受信されなかったこと、前記Ｍｓｇ１の制御部分に対応するＭｓｇ２内容がＭｓｇ２の受信時間範囲内に受信されなかったこと、前記Ｍｓｇ１の再送が必要であることが受信したＭｓｇ２によって指示されることの少なくとも一方を含む、請求項５に記載のランダムアクセス方法。
【請求項７】
前記のＭｓｇ１のデータ部分の伝送設定情報に基づいて、Ｍｓｇ１のデータ部分をネットワーク側機器に伝送することは、
前記Ｍｓｇ１のデータ部分を初回又は前回に伝送するデータと同じである第１データを用いて、前記Ｍｓｇ１のデータ部分をネットワーク側機器に再送すること、
又は、
新規に生成されたデータである第２データを用いて、前記Ｍｓｇ１のデータ部分をネットワーク側機器に再送することを含む、請求項５に記載のランダムアクセス方法。
【請求項８】
前記のＭｓｇ１のデータ部分を前記ネットワーク側機器に再送することは、
ネットワークによって予め設定されたＭｓｇ１再送リソース情報及びＭｓｇ２内のＭｓｇ１再送リソース情報の少なくとも一方を含む第１リソース情報によって指示される伝送リソースに基づいて、Ｍｓｇ１のデータ部分を前記ネットワーク側機器に再送することを含む、請求項５に記載のランダムアクセス方法。
【請求項９】
前記Ｍｓｇ１再送リソース情報は、
時間領域リソース情報、周波数領域リソース情報、空間領域リソース情報、ＨＡＲＱの設定情報及び変調符号化方式の少なくとも一方を含む、請求項８に記載のランダムアクセス方法。
【請求項１０】
前記ネットワーク側機器から送信されたＭｓｇ２を受信することを更に含み、
ここで、前記Ｍｓｇ２は、
Ｍｓｇ１の識別子情報、Ｍｓｇ１再送リソース情報、Ｍｓｇ１再送の待ち時間情報、Ｍｓｇ１再送リソース情報と端末機器との対応関係、及びＭｓｇ１再送の待ち時間情報と端末機器との対応関係の少なくとも一方を含む、請求項１に記載のランダムアクセス方法。
【請求項１１】
前記Ｍｓｇ１の識別子情報は、
プリアンブル識別子及びデータチャネルの端末機器識別子の少なくとも一方を含む、請求項１０に記載のランダムアクセス方法。
【請求項１２】
前記データチャネルの端末機器識別子は、
前記Ｍｓｇ１の送信位置から算出された無線ネットワーク一時識別子ＲＮＴＩである、請求項１１に記載のランダムアクセス方法。
【請求項１３】
ネットワーク側機器に応用されるランダムアクセス方法であって、
端末機器からＨＡＲＱ方式で送信されたＭｓｇ１のデータ部分を受信することと、
受信したＭｓｇ１のデータ部分を復号することとを含む、ランダムアクセス方法。
【請求項１４】
Ｍｓｇ２を前記端末機器に送信することを更に含み、
前記Ｍｓｇ２は、
Ｍｓｇ１の識別子情報、Ｍｓｇ１再送リソース情報、Ｍｓｇ１再送の待ち時間情報、Ｍｓｇ１再送リソース情報と端末機器との対応関係、及びＭｓｇ１再送の待ち時間情報と端末機器との対応関係の少なくとも一方を含む、請求項１３に記載のランダムアクセス方法。
【請求項１５】
前記Ｍｓｇ１の識別子情報は、
プリアンブル識別子及びデータチャネルの端末機器識別子の少なくとも一方を含む、請求項１４に記載のランダムアクセス方法。
【請求項１６】
Ｍｓｇ１の伝送設定情報に基づいて、Ｍｓｇ１のデータ部分をネットワーク側機器に伝送する伝送モジュールを含む、端末機器。
【請求項１７】
前記伝送モジュールは、
Ｍｓｇ１のデータ部分をＨＡＲＱ方式で伝送することが前記伝送設定情報によって指示される場合、前記Ｍｓｇ１のデータ部分をＨＡＲＱ方式でネットワーク側機器に送信する、請求項１６に記載の端末機器。
【請求項１８】
前記Ｍｓｇ１のデータ部分の伝送のためのＨＡＲＱの設定情報は、ＨＡＲＱプロセス識別子及びＨＡＲＱ冗長バージョン識別子の少なくとも一方を含む、請求項１７に記載の端末機器。
【請求項１９】
前記伝送モジュールは、
ＨＡＲＱ方式によらずにＭｓｇ１のデータ部分を伝送することが前記伝送設定情報によって指示される場合、ＨＡＲＱで符号化されないＭｓｇ１のデータ部分をネットワーク側機器に伝送する、請求項１６に記載の端末機器。
【請求項２０】
前記のＭｓｇ１のデータ部分をネットワーク側機器に伝送することは、
Ｍｓｇ１のデータ部分を前記ネットワーク側機器に再送することである、請求項１６に記載の端末機器。
【請求項２１】
前記伝送モジュールは、
再送条件が満たされた場合、Ｍｓｇ１の伝送設定情報に基づいて、前記Ｍｓｇ１のデータ部分をネットワーク側機器に再送し、
前記再送条件は、
前記Ｍｓｇ１のデータ部分に対応するＭｓｇ２内容がＭｓｇ２の受信時間範囲内に受信されなかったこと、前記Ｍｓｇ１の制御部分に対応するＭｓｇ２内容がＭｓｇ２の受信時間範囲内に受信されなかったこと、前記Ｍｓｇ１の再送が必要であることが受信したＭｓｇ２によって指示されることの少なくとも一方を含む、請求項２０に記載の端末機器。
【請求項２２】
前記伝送モジュールは、
前記Ｍｓｇ１のデータ部分を初回又は前回に伝送するデータと同じである第１データを用いて、前記Ｍｓｇ１のデータ部分をネットワーク側機器に再送し、
又は、
新規に生成されたデータである第２データを用いて、前記Ｍｓｇ１のデータ部分をネットワーク側機器に再送する、請求項２０に記載の端末機器。
【請求項２３】
前記伝送モジュールは、
ネットワークによって予め設定されたＭｓｇ１再送リソース情報及びＭｓｇ２内のＭｓｇ１再送リソース情報の少なくとも一方を含む第１リソース情報によって指示される伝送リソースに基づいて、Ｍｓｇ１のデータ部分を前記ネットワーク側機器に再送する、請求項２０に記載の端末機器。
【請求項２４】
前記Ｍｓｇ１再送リソース情報は、
時間領域リソース情報、周波数領域リソース情報、空間領域リソース情報、ＨＡＲＱの設定情報及び変調符号化方式の少なくとも一方を含む、請求項２３に記載の端末機器。
【請求項２５】
前記ネットワーク側機器から送信されたＭｓｇ２を受信する受信モジュールを更に含み、
前記Ｍｓｇ２は、
Ｍｓｇ１の識別子情報、Ｍｓｇ１再送リソース情報、Ｍｓｇ１再送の待ち時間情報、Ｍｓｇ１再送リソース情報と端末機器との対応関係、及びＭｓｇ１再送の待ち時間情報と端末機器との対応関係の少なくとも一方を含む、請求項１６に記載の端末機器。
【請求項２６】
前記Ｍｓｇ１の識別子情報は、
プリアンブル識別子及びデータチャネルの端末機器識別子の少なくとも一方を含む、請求項２５に記載の端末機器。
【請求項２７】
前記データチャネルの端末機器識別子は、
前記Ｍｓｇ１の送信位置から算出された無線ネットワーク一時識別子ＲＮＴＩである、請求項２６に記載の端末機器。
【請求項２８】
端末機器からＨＡＲＱ方式で送信されたＭｓｇ１のデータ部分を受信する受信モジュールと、
受信したＭｓｇ１のデータ部分を復号する復号モジュールとを含む、ネットワーク側機器。
【請求項２９】
Ｍｓｇ２を前記端末機器に送信する送信モジュールを更に含み、
ここで、前記Ｍｓｇ２は、
Ｍｓｇ１の識別子情報、Ｍｓｇ１再送リソース情報、Ｍｓｇ１再送の待ち時間情報、Ｍｓｇ１再送リソース情報と端末機器との対応関係、及びＭｓｇ１再送の待ち時間情報と端末機器との対応関係の少なくとも一方を含む、請求項２８に記載のネットワーク側機器。
【請求項３０】
前記Ｍｓｇ１の識別子情報は、
プリアンブル識別子及びデータチャネルの端末機器識別子の少なくとも一方を含む、請求項２８に記載のネットワーク側機器。
【請求項３１】
プロセッサと、メモリと、前記メモリに格納されて前記プロセッサで実行可能なコンピュータプログラムとを含む端末機器であって、
前記コンピュータプログラムが前記プロセッサによって実行されると、請求項１〜１２のいずれか１項に記載のランダムアクセス方法のステップが実現される、端末機器。
【請求項３２】
プロセッサと、メモリと、前記メモリに格納されて前記プロセッサで実行可能なコンピュータプログラムとを含むネットワーク側機器であって、
前記コンピュータプログラムが前記プロセッサによって実行されると、請求項１３〜１５のいずれか１項に記載のランダムアクセス方法のステップが実現される、ネットワーク側機器。
【請求項３３】
コンピュータプログラムが格納されているコンピュータ読み取り可能な記憶媒体であって、
前記コンピュータプログラムがプロセッサによって実行されると、請求項１〜１５のいずれか１項に記載のランダムアクセス方法のステップが実現される、コンピュータ読み取り可能な記憶媒体。
【発明の詳細な説明】
【技術分野】
【０００１】
（関連出願の相互参照）
本願は、２０１８年７月２６日に中国特許庁に提出された中国特許出願２０１８１０８３７１０３．１の優先権を主張し、その全ての内容が援用によりここに取り込まれる。
本開示は、通信技術分野に係り、特にランダムアクセス方法及び関連機器に係る。
【背景技術】
【０００２】
移動通信技術のますますの発展に伴い、例えば２段階ランダムアクセス（即ち２−Ｓｔｅｐ  ＲＡＣＨ）プロセスなどの簡略化されたランダムアクセスプロセスが生み出されている。現在、２段階ランダムアクセスにおけるＭｓｇ１は、制御部分（例えば、プリアンブル）だけでなく、データ部分（例えば、無線リソース制御メッセージ）も搬送することができる。しかしながら、関連技術では、２段階ランダムアクセスプロセスにおけるＭｓｇ１をどのように伝送するかに関する解決策はない。
【発明の概要】
【発明が解決しようとする課題】
【０００３】
本開示の実施例は、２段階ランダムアクセスプロセスにおけるＭｓｇ１の伝送方式を提供して、２段階ランダムアクセスプロセスにおけるＭｓｇ１の伝送に解決策を提供するために、ランダムアクセス方法及び関連機器を提供する。
【課題を解決するための手段】
【０００４】
第１態様として、本開示の実施例は、ランダムアクセス方法を提供する。該方法において、Ｍｓｇ１の伝送設定情報に基づいて、Ｍｓｇ１のデータ部分をネットワーク側機器に伝送することを含む。
【０００５】
第２態様として、本開示の実施例は、ランダムアクセス方法を更に提供する。該方法において、端末機器からＨＡＲＱ方式で送信されたＭｓｇ１のデータ部分を受信することと、受信したＭｓｇ１のデータ部分を復号することとを含む。
【０００６】
第３態様として、本開示の実施例は、端末機器を更に提供する。該端末機器は、Ｍｓｇ１の伝送設定情報に基づいて、Ｍｓｇ１のデータ部分をネットワーク側機器に伝送する伝送モジュールを含む。
【０００７】
第４態様として、本開示の実施例は、ネットワーク側機器を更に提供する。該ネットワーク側機器は、端末機器からＨＡＲＱ方式で送信されたＭｓｇ１のデータ部分を受信する受信モジュールと、受信したＭｓｇ１のデータ部分を復号する復号モジュールとを含む。
【０００８】
第５態様として、本開示の実施例は、プロセッサと、メモリと、前記メモリに格納されて前記プロセッサで実行可能なコンピュータプログラムとを含む端末機器を更に提供し、前記コンピュータプログラムが前記プロセッサによって実行されると、上記第１態様に記載のランダムアクセス方法のステップが実現される。
【０００９】
第６態様として、本開示の実施例は、プロセッサと、メモリと、前記メモリに格納されて前記プロセッサで実行可能なコンピュータプログラムとを含むネットワーク側機器を更に提供し、前記コンピュータプログラムが前記プロセッサによって実行されると、上記第２態様に記載のランダムアクセス方法のステップが実現される。
【００１０】
第７態様として、本開示の実施例は、コンピュータプログラムが格納されているコンピュータ読み取り可能な記憶媒体を更に提供し、前記コンピュータプログラムがプロセッサによって実行されると、上記第１態様に記載のランダムアクセス方法のステップが実現され、又は、上記第２態様に記載のランダムアクセス方法のステップが実現される。
【発明の効果】
【００１１】
本開示の実施例において、Ｍｓｇ１の伝送設定情報に基づいて、Ｍｓｇ１のデータ部分をネットワーク側機器に伝送することによって、２段階ランダムアクセスプロセスにおけるＭｓｇ１のデータ部分の伝送を実現することができ、２段階ランダムアクセスプロセスにおけるＭｓｇ１の伝送方式を標準化し、２段階ランダムアクセスプロセスにおけるＭｓｇ１の伝送に解決策を提供する。
【００１２】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００１３】
【図１】本開示の実施例に係る２段階ランダムアクセス方法のフローチャートである。
【図２】本開示の実施例の応用可能なネットワーク構造図である。
【図３】本開示の実施例に係るランダムアクセス方法のフローチャートである。
【図４】本開示の実施例に係る別のランダムアクセス方法のフローチャートである。
【図５】本開示の実施例に係る端末機器の構造図である。
【図６】本開示の実施例に係るネットワーク側機器の構造図である。
【図７】本開示の実施例に係る別の端末機器の構造図である。
【図８】本開示の実施例に係る別のネットワーク側機器の構造図である。
【発明を実施するための形態】
【００１４】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本願の保護範囲に属するものである。
【００１５】
本開示の明細書及び特許請求の範囲における「第１」、「第２」などの用語は、特定の順序又は前後順を記述するために使用されるのではなく、類似の対象を区別するために使用される。そのように使用されるデータは、本明細書に記載される本願の実施例が、例えば、本明細書に図示又は記載されるもの以外の順序でも実施されるように、適切に交換されることが理解されるべきである。更に、「含む」及び「有する」という用語ならびにそれらの任意の変形は、非排他的を意図しており、例えば、一連の工程又はユニットを含むプロセス、方法、システム、製品又は装置は、必ずしも明確に列挙されたそれらの工程又はユニットに限定されるものではなく、明確に列挙されていないもの又はそれらのプロセス、方法、製品又は装置に固有の他の工程又はユニットを含んでもよい。本明細書及び特許請求の範囲において、「及び／又は」は、連結された対象の少なくとも１つを意味する。例えば、Ａ及び／又はＢ及び／又はＣは、Ａのみ、Ｂのみ、Ｃのみ、ＡとＢの両方が存在すること、ＢとＣの両方が存在すること、ＡとＣの両方が存在すること、及び、ＡとＢとＣがすべて存在することの７種類のケースを含むことを示す。
【００１６】
理解の便宜を図るため、以下、２段階ランダムアクセスを説明する。
【００１７】
例えば、図１に示すように、２段階ランダムアクセスプロセスは、以下のステップを含む。
【００１８】
ステップＳ０において、ネットワーク側機器は、端末機器に対して２段階ランダムアクセスの設定情報を設定する。ここで、上記設定情報は、Ｍｓｇ１の送信リソース情報及びＭｓｇ２の受信リソース情報を含む。
【００１９】
ステップＳ１において、端末機器は、データ部分（即ちＤａｔａ）及び端末機器識別子（即ちＵＥ  ＩＤ）が搬送されたＭｓｇ１をネットワーク側機器に送信する。
【００２０】
本ステップにおいて、端末機器は、２段階ランダムアクセス（即ち２−Ｓｔｅｐ  ＲＡＣＨ）をトリガし、要求情報（即ちデータ部分及び端末機器識別子が搬送されたＭｓｇ１）をネットワーク側機器に送信する。
【００２１】
ステップＳ２において、ネットワーク側機器は、確認情報が搬送されたＭｓｇ２を端末機器に送信する。
【００２２】
本ステップにおいて、確認情報は、端末機器識別子（即ちＵＥ  ＩＤ）及び応答指示（ＡＣＫ  Ｉｎｄｉｃａｔｉｏｎ）を含む。
【００２３】
図２を参照する。図２は、本開示の実施例の応用可能なネットワーク構造図である。図２に示すように、端末機器１１とネットワーク側機器１２が含まれる。ここで、端末機器１１は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタントＰＤＡ（ｐｅｒｓｏｎａｌ  ｄｉｇｉｔａｌ  ａｓｓｉｓｔａｎｔ）、モバイルインターネットデバイスＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）などの端末機器側機器である。なお、本開示の実施例では、端末機器１１の具体的な種類を限定しない。ネットワーク側機器１２は、マクロ基地局、ＬＴＥ  ｅＮＢ、５Ｇ  ＮＲ  ＮＢ、ｇＮＢなどの基地局であってもよく、低電力ノードＬＰＮ（ｌｏｗ  ｐｏｗｅｒ  ｎｏｄｅ）ｐｉｃｏ、ｆｅｍｔｏなどのスモール基地局であってもよく、又はアクセスポイントＡＰ（ａｃｃｅｓｓ  ｐｏｉｎｔ）である。基地局は、中央ユニットＣＵ（ｃｅｎｔｒａｌ  ｕｎｉｔ）及びその管理／制御下の複数の伝送受信ポイントＴＲＰ（Ｔｒａｎｓｍｉｓｓｉｏｎ  Ｒｅｃｅｐｔｉｏｎ  Ｐｏｉｎｔ）からなるネットワークノードであってもよい。なお、本開示の実施例では、ネットワーク側機器１２の具体的な種類を限定しない。
【００２４】
本開示の実施例において、ネットワーク側機器１２は、端末機器１１に対して２段階ランダムアクセス（即ち２−Ｓｔｅｐ  ＲＡＣＨ）プロセスのリソース設定情報を設定する。該リソース設定情報は、Ｍｓｇ１の送信リソース設定情報及びＭｓｇ２の受信リソース設定情報の少なくとも一方を含む。
【００２５】
端末機器１１は、２段階ランダムアクセス（即ち２−Ｓｔｅｐ  ＲＡＣＨ）プロセスをトリガした後、送信を必要とするデータ部分（即ちＲＲＣメッセージのようなＭｓｇ１のデータ部分）を、送信を待つために目標バッファに記憶する。ここで、上記目標バッファは、Ｍｓｇ１のデータ部分を記憶するための特定のバッファ（例えば、Ｍｓｇ１バッファ）又はＨＡＲＱバッファなどを含む。
【００２６】
本開示の実施例において、端末機器１１は、Ｍｓｇ１の伝送設定情報に基づいて、Ｍｓｇ１のデータ部分をネットワーク側機器に伝送する。上記伝送設定情報は、Ｍｓｇ１のデータ部の伝送方式を指示する。例えば、上記伝送設定情報が、Ｍｓｇ１のデータ部分の送信のためのハイブリッド自動再送要求ＨＡＲＱ（Ｈｙｂｒｉｄ  Ａｕｔｏｍａｔｉｃ  Ｒｅｐｅａｔ  Ｒｅｑｕｅｓｔ）の設定情報を含む場合、ＨＡＲＱ方式を用いてＭｓｇ１のデータ部分を伝送することを指示し、そうでない場合、ＨＡＲＱ方式によらずにＭｓｇ１のデータ部分を伝送することを指示する。なお、上記ＨＡＲＱの設定情報は、プロトコルで予め定義されていてもよいし、ネットワーク側で設定されてもよいが、本開示の実施例ではこれについて限定しない。
【００２７】
一実施形態において、Ｍｓｇ１のデータ部分をＨＡＲＱ方式で伝送することが上記伝送設定情報によって指示される場合、端末機器１１は、Ｍｓｇ１のデータ部分をＨＡＲＱ方式でネットワーク側機器１２に伝送することにより、Ｍｓｇ１のデータ部分の送信成功率を向上させることができる。
【００２８】
別の実施形態において、ＨＡＲＱ方式によらずにＭｓｇ１のデータ部分を伝送することが上記伝送設定情報によって指示される場合、端末機器１１は、Ｍｓｇ１のデータ部分を直接にネットワーク側機器１２に伝送し、例えば、ＨＡＲＱで符号化されないＭｓｇ１のデータ部分を伝送することにより、Ｍｓｇ１のデータ部分の送信効率を向上させることができる。
【００２９】
本開示の実施例において、端末機器１１は、Ｍｓｇ１の伝送設定情報に基づいて、Ｍｓｇ１のデータ部分をネットワーク側機器１２に再送する。例えば、再送条件が満たされた場合、Ｍｓｇ１の伝送設定情報に基づいて、前記Ｍｓｇ１のデータ部分をネットワーク側機器に再送する。
【００３０】
任意選択で、Ｍｓｇ２の受信結果に基づいて、再送条件が満たされたか否かを判断してもよいし、受信したＭｓｇ２に搬送されている指示情報に基づいて、再送条件が満たされたか否かを判断してもよい。
【００３１】
一実施形態において、Ｍｓｇ１のデータ部分の送信のためのＨＡＲＱの設定情報が設定された場合、上記の前記Ｍｓｇ１のデータ部分をネットワーク側機器１２に再送することは、第１ＨＡＲＱプロセスデータを用いて、前記Ｍｓｇ１のデータ部分をネットワーク側機器１２に再送する。ここで、前記第１ＨＡＲＱプロセスデータは、前記Ｍｓｇ１のデータ部分を初回又は前回に伝送するＨＡＲＱプロセスデータと同じである。第２ＨＡＲＱプロセスデータを用いて、前記Ｍｓｇ１のデータ部分をネットワーク側機器１２に再送してもよい。ここで、前記第２ＨＡＲＱプロセスデータは、新規に生成されたＨＡＲＱプロセスデータである。なお、上記ＨＡＲＱプロセスデータは、伝送ブロックサイズを含む。
【００３２】
別の実施形態において、Ｍｓｇ１のデータ部分の送信のためのＨＡＲＱの設定情報が設定されていない場合、Ｍｓｇ１バッファ等のＭｓｇ１のデータ部分の記憶に特化された特定のバッファからＭｓｇ１のデータ部分を読み取り、ＨＡＲＱで符号化されないＭｓｇ１のデータ部分をネットワーク側機器１２に再送する。
【００３３】
本開示の実施例において、ネットワーク側機器１２は、端末機器１１からＭｓｇ１のデータ部分を受信して復号する。任意選択で、ネットワーク側機器１２は、受信したＭｓｇ１に同一のデータ部分に対応するＭｓｇ１が少なくとも２つ存在することを認識した場合、Ｍｓｇ１のデータ部分の復号成功率を上げるために、前記少なくとも２つのＭｓｇ１のデータ部分をマージして復号する。
【００３４】
本開示の実施例において、ネットワーク側機器１２は、Ｍｓｇ１の識別子情報、Ｍｓｇ１再送リソース情報、Ｍｓｇ１再送の待ち時間情報、Ｍｓｇ１再送リソース情報と端末機器との対応関係及びＭｓｇ１再送の待ち時間情報と端末機器との対応関係の少なくとも一方を含むＭｓｇ２を端末機器１１に送信してもよい。
【００３５】
それに応じて、端末機器１１は、上記Ｍｓｇ１再送リソース情報によって指示されるリソースに基づいてＭｓｇ１のデータ部分を再送し、重複の衝突を低減することができ、Ｍｓｇ１再送の成功率を向上させることができる。
【００３６】
なお、上記Ｍｓｇ２は、複数の端末機器に対して送信可能なため、Ｍｓｇ１再送リソース情報と端末機器との対応関係、及びＭｓｇ１再送の待ち時間情報と端末機器との対応関係をＭｓｇ２に搬送させることで、前記Ｍｓｇ２を受信した端末機器は、対応するＭｓｇ１再送の待ち時間情報及びＭｓｇ１再送リソース情報を迅速に取得することができる。
【００３７】
本開示の実施例に係るランダムアクセス方法は、Ｍｓｇ１の伝送設定情報に基づいて、Ｍｓｇ１のデータ部分（例えば、ＲＲＣメッセージ等）を端末機器１１からネットワーク側機器１２に送信することによって、２段階ランダムアクセスプロセスにおけるＭｓｇ１のデータ部分の伝送を実現することができ、２段階ランダムアクセスプロセスにおけるＭｓｇ１の伝送方式を標準化し、２段階ランダムアクセスプロセスにおけるＭｓｇ１の伝送に解決策を提供する。
【００３８】
本開示の実施例は、端末機器に応用されるランダムアクセス方法を提供する。図３は、本開示の実施例に係るランダムアクセス方法のフローチャートであり、図３に示されるように、以下のステップを含む。
【００３９】
ステップ３０１において、Ｍｓｇ１の伝送設定情報に基づいて、Ｍｓｇ１のデータ部分をネットワーク側機器に伝送する。
【００４０】
本開示の実施例において、上記伝送設定情報は、Ｍｓｇ１のデータ部分の伝送方式を指示する。例えば、上記伝送設定情報が、Ｍｓｇ１のデータ部分の送信のためのＨＡＲＱの設定情報を含む場合、Ｍｓｇ１のデータ部分をＨＡＲＱ方式で伝送することを指示し、そうでない場合、ＨＡＲＱ方式によらずにＭｓｇ１のデータ部分を伝送することを指示する。又は、上記伝送設定情報は、Ｍｓｇ１のデータ部分の伝送方式を指示する第１識別子を含む。第１識別子の値が第１値であれば、Ｍｓｇ１のデータ部分をＨＡＲＱ方式で伝送することを指示し、第１識別子の値が第２値であれば、ＨＡＲＱ方式によらずにＭｓｇ１のデータ部分を伝送することを指示する。なお、上記Ｍｓｇ１の伝送設定情報は、ＨＡＲＱ方式以外の他の伝送方式を指示してもよく、本開示の実施例においてこれについて限定しない。
【００４１】
本開示の実施例において、上記Ｍｓｇ１は、データ部分（例えば、ＲＲＣメッセージ）のみを含んでもよく、データ部分及び制御部分（例えば、プリアンブル）を含んでもよい。また、Ｍｓｇ１のデータ部分と制御部分は、同一チャネルで伝送されてもよく、異なるチャネルで伝送されてもよく、本開示の実施例においてこれについて限定しない。
【００４２】
実際の応用において、端末機器１１は、２段階ランダムアクセス（即ち２−Ｓｔｅｐ  ＲＡＣＨ）プロセスをトリガした後、送信を必要とするデータ部分（例えばＲＲＣメッセージ）を、送信を待つために目標バッファに記憶する。ここで、上記目標バッファは、Ｍｓｇ１のデータ部分を記憶するための特定のバッファ（例えばＭｓｇ１バッファ）又はＨＡＲＱバッファなどを含む。Ｍｓｇ１のデータ部分の送信が必要であると決定された場合、目標バッファからＭｓｇ１のデータ部分を取得し、Ｍｓｇ１の伝送設定情報に基づいて、Ｍｓｇ１のデータ部分をネットワーク側機器に伝送する。
【００４３】
なお、Ｍｓｇ１の送信リソース設定情報がネットワーク側で設定されている場合には、Ｍｓｇ１のデータ部分を、上記Ｍｓｇ１の送信リソース設定情報によって指示されるリソースに基づいてネットワーク側機器に送信し、Ｍｓｇ１の送信リソース設定情報がネットワーク側で設定されていない場合には、予めプロトコルで定義されたリソースを用いてＭｓｇ１のデータ部分をネットワーク側機器に送信する。
【００４４】
なお、上記のＭｓｇ１のデータ部分をネットワーク側機器に伝送することは、初めてＭｓｇ１のデータ部分をネットワーク側機器に伝送してもよいし、Ｍｓｇ１のデータ部分をネットワーク側機器に再送してもよい。
【００４５】
本開示の実施例に係るランダムアクセス方法は、Ｍｓｇ１の伝送設定情報に基づいてＭｓｇ１のデータ部分をネットワーク側機器に送信することによって、２段階ランダムアクセスプロセスにおけるＭｓｇ１のデータ部分の伝送を実現することができ、２段階ランダムアクセスプロセスにおけるＭｓｇ１の伝送方式を標準化し、２段階ランダムアクセスプロセスにおけるＭｓｇ１の伝送に解決策を提供する。
【００４６】
任意選択で、前記のＭｓｇ１の伝送設定情報に基づいて、Ｍｓｇ１のデータ部分をネットワーク側機器に伝送する上記ステップ３０１は、Ｍｓｇ１のデータ部分をＨＡＲＱ方式で伝送することが前記伝送設定情報によって指示される場合、前記Ｍｓｇ１のデータ部分をＨＡＲＱ方式でネットワーク側機器に送信することを含む。
【００４７】
一実施形態において、上記伝送設定情報が上記Ｍｓｇ１のデータ部分のためのＨＡＲＱの設定情報を含む場合、Ｍｓｇ１のデータ部分をＨＡＲＱ方式で伝送することが伝送設定情報によって指示されると決定し、前記Ｍｓｇ１のデータ部分をＨＡＲＱ方式でネットワーク側機器に送信する。
【００４８】
別の実施形態において、ＨＡＲＱ方式を用いてＭｓｇ１のデータ部分を伝送するか否かは、上記伝送設定情報に含まれる第１識別子の値に基づいて決定される。例えば、第１識別子の値が第１値である場合、Ｍｓｇ１のデータ部分をＨＡＲＱ方式で伝送することが伝送設定情報によって指示されると決定し、前記Ｍｓｇ１のデータ部分をＨＡＲＱ方式でネットワーク側機器に送信する。
【００４９】
なお、上記ＨＡＲＱの設定情報は、プロトコルで予め定義されていてもよいし、ネットワーク側で設定されてもよく、本開示の実施例においてこれについて限定しない。
【００５０】
任意選択で、上記の前記Ｍｓｇ１のデータ部分の伝送のためのＨＡＲＱの設定情報は、ＨＡＲＱプロセス識別子及びＨＡＲＱ冗長バージョン識別子の少なくとも一方を含む。
【００５１】
本開示の実施例において、上記ＨＡＲＱプロセス識別子は、例えばＨＡＲＱ  Ｐｒｏｃｅｓｓ  ＩＤ０のように、ＨＡＲＱプロセスを一意に識別する。任意選択で、端末機器は、他の上りデータ送信のＨＡＲＱプロセスのうちの１つを共有してＭｓｇ１のデータ部分を伝送してもよいし、他の上りデータ送信とは独立したＨＡＲＱプロセスを用いてＭｓｇ１のデータ部分を伝送してもよい。上記ＨＡＲＱ冗長バージョン識別子は、冗長バージョン識別子とも呼ばれる。例えば、初回伝送時のＨＡＲＱ冗長バージョン識別子は、ＲＶ０であり、再送時のＨＡＲＱ冗長バージョン識別子は、ＲＶ１であり、又は再送時のＨＡＲＱ冗長バージョン識別子は、Ｍｓｇ２によって指示されるＨＡＲＱ冗長バージョン識別子（例えばＲＶ１）である。
【００５２】
本開示の実施例において、Ｍｓｇ１のデータ部分をＨＡＲＱ方式で伝送することが前記伝送設定情報によって指示される場合、前記Ｍｓｇ１のデータ部分をＨＡＲＱ方式でネットワーク側機器に送信することによって、Ｍｓｇ１のデータ部分の送信成功率を向上させることができる。
【００５３】
任意選択で、前記のＭｓｇ１の伝送設定情報に基づいて、Ｍｓｇ１のデータ部分をネットワーク側機器に伝送する上記ステップ３０１は、ＨＡＲＱ方式によらずにＭｓｇ１のデータ部分を伝送することが前記伝送設定情報によって指示される場合、ＨＡＲＱで符号化されないＭｓｇ１のデータ部分をネットワーク側機器に伝送することを含む。
【００５４】
一実施形態において、伝送設定情報が、上記Ｍｓｇ１のデータ部分のためのＨＡＲＱの設定情報を含まない場合、即ち、上記Ｍｓｇ１のデータ部分のためのＨＡＲＱの設定情報が存在しない場合、ＨＡＲＱ方式によらずにＭｓｇ１のデータ部分を伝送することが前記伝送設定情報によって指示されると決定し、この場合、ＨＡＲＱで符号化されないＭｓｇ１のデータ部分をネットワーク側機器に伝送し、即ちＨＡＲＱ方式によらずにＭｓｇ１のデータ部分を伝送する。
【００５５】
別の実施形態において、ＨＡＲＱ方式を用いてＭｓｇ１のデータ部分を伝送するか否かは、上記伝送設定情報に含まれる第１識別子の値に基づいて決定される。例えば、第１識別子の値が第２値である場合、ＨＡＲＱ方式によらずにＭｓｇ１のデータ部分を伝送することが前記伝送設定情報によって指示されると決定し、この場合、ＨＡＲＱで符号化されないＭｓｇ１のデータ部分をネットワーク側機器に伝送し、即ちＨＡＲＱ方式によらずにＭｓｇ１のデータ部分を伝送する。
【００５６】
本開示の実施例において、ＨＡＲＱ方式によらずにＭｓｇ１のデータ部分を伝送することが前記伝送設定情報によって指示される場合、ＨＡＲＱで符号化されないＭｓｇ１のデータ部分をネットワーク側機器に伝送することにより、Ｍｓｇ１のデータ部分の送信効率を向上させることができる。
【００５７】
任意選択で、前記のＭｓｇ１のデータ部分をネットワーク側機器に伝送することは、Ｍｓｇ１のデータ部分を前記ネットワーク側機器に再送することである。
【００５８】
本開示の実施例において、Ｍｓｇ１の伝送設定情報に基づいて、Ｍｓｇ１のデータ部分をネットワーク側機器に再送することにより、Ｍｓｇ１のデータ部分の送信成功率を向上させることができる。
【００５９】
任意選択で、前記のＭｓｇ１の伝送設定情報に基づいて、Ｍｓｇ１のデータ部分をネットワーク側機器に伝送する上記ステップ３０１は、再送条件が満たされた場合、Ｍｓｇ１の伝送設定情報に基づいて、前記Ｍｓｇ１のデータ部分をネットワーク側機器に再送することを含み、ここで、前記再送条件は、前記Ｍｓｇ１のデータ部分に対応するＭｓｇ２内容がＭｓｇ２の受信時間範囲内に受信されなかったこと、前記Ｍｓｇ１の制御部分に対応するＭｓｇ２内容がＭｓｇ２の受信時間範囲内に受信されなかったこと、前記Ｍｓｇ１の再送が必要であることが受信したＭｓｇ２によって指示されることの少なくとも一方を含む。
【００６０】
本開示の実施例において、上記受信時間範囲は、ランダムアクセス応答の受信時間窓である。
【００６１】
一実施形態において、端末機器は、Ｍｓｇ２の受信時間範囲内に前記Ｍｓｇ１のデータ部分（例えば、物理上り共有チャネルＰＵＳＣＨ（Ｐｈｙｓｉｃａｌ  Ｕｐｌｉｎｋ  Ｓｈａｒｅｄ  Ｃｈａｎｎｅｌ）のデータ）に対応するＭｓｇ２内容（例えば、競合解決識別子（即ちＣｏｎｔｅｎｔｉｏｎ  Ｒｅｓｏｌｕｔｉｏｎ  ＩＤ））を受信しない場合、前記Ｍｓｇ１のデータ部分をネットワーク側機器に再送する。
【００６２】
別の実施形態において、端末機器は、Ｍｓｇ２の受信時間範囲内に前記Ｍｓｇ１の制御部分（例えば、物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ）のプリアンブル（即ちＰｒｅａｍｂｌｅ））に対応するＭｓｇ２内容（例えば、プリアンブル（即ちＰｒｅａｍｂｌｅ）識別子）を受信しない場合、前記Ｍｓｇ１のデータ部分をネットワーク側機器に再送する。
【００６３】
別の実施形態において、端末機器は、Ｍｓｇ２の受信時間範囲内に前記Ｍｓｇ１に対応するＭｓｇ２を受信せず、即ち、前記Ｍｓｇ１のデータ部分に対応するＭｓｇ２内容と前記Ｍｓｇ１の制御部分に対応するＭｓｇ２内容を受信しない場合、前記Ｍｓｇ１のデータ部分をネットワーク側機器に再送する。
【００６４】
別の実施形態において、前記Ｍｓｇ１の再送が必要であることが受信したＭｓｇ２によって指示されると、前記Ｍｓｇ１のデータ部分をネットワーク側機器に再送する。
【００６５】
任意選択で、端末機器が受信したＭｓｇ２によって、前記Ｍｓｇ１のデータ部分の再送が必要であると指示すると、端末機器は、Ｍｓｇ２の受信を停止し、例えば、Ｍｓｇ２受信タイマを停止し、Ｍｓｇ１のデータ部分の送信が失敗したと見なして、Ｍｓｇ１の再送をトリガする。
【００６６】
なお、上記複数の実施形態は、実際の状況に応じて任意に組み合わせてよい。
【００６７】
本開示の実施例において、再送条件が満たされた場合、Ｍｓｇ１の伝送設定情報に基づいて、前記Ｍｓｇ１のデータ部分をネットワーク側機器に再送することによって、伝送リソースを節約しつつ、Ｍｓｇ１のデータ部分の送信成功率を向上させることができる。
【００６８】
任意選択で、前記のＭｓｇ１のデータ部分の伝送設定情報に基づいて、Ｍｓｇ１のデータ部分をネットワーク側機器に伝送することは、前記Ｍｓｇ１のデータ部分を初回又は前回に伝送するＨＡＲＱプロセスデータと同じである第１ＨＡＲＱプロセスデータを用いて、前記Ｍｓｇ１のデータ部分をネットワーク側機器に再送すること、又は、新規に生成されたＨＡＲＱプロセスデータである第２ＨＡＲＱプロセスデータを用いて、前記Ｍｓｇ１のデータ部分をネットワーク側機器に再送することを含む。
【００６９】
本開示の実施例において、上記ＨＡＲＱプロセスデータは、伝送ブロックサイズを含む。
【００７０】
一実施形態において、Ｍｓｇ１のデータ部分をネットワーク側機器に再送する場合、前記Ｍｓｇ１のデータ部分を初回又は前回に伝送するＨＡＲＱプロセスデータと同じである第１ＨＡＲＱプロセスデータを用いて、前記Ｍｓｇ１のデータ部分をネットワーク側機器に再送することにより、マージ復号を容易にする。
【００７１】
例えば、Ｍｓｇ１を再送する場合、前回又は初回の送信と同じ変調符号化方式（例えば２位相偏移変調ＢＰＳＫ（Ｂｉｎａｒｙ  Ｐｈａｓｅ  Ｓｈｉｆｔ  Ｋｅｙｉｎｇ））を用い、前回又は初回の送信と同じリソース数（例えばリソースブロックＲＢ（Ｒｅｓｏｕｒｃｅ  Ｂｌｏｃｋ））を用いてＭｓｇ１の再送を行う。
【００７２】
なお、上記Ｍｓｇ１のデータ部分を第１ＨＡＲＱプロセスデータを用いてネットワーク側機器に再送する場合、前回又は初回のＭｓｇ１送信と同じＨＡＲＱプロセスのバッファに記憶されているＨＡＲＱ送信データを用いてＭｓｇ１のデータ部分の再送を行ってもよいし、上記Ｍｓｇ１に対応するＨＡＲＱプロセスのバッファをクリアして、新たなＨＡＲＱ送信データを生成して送信してもよい。例えば、Ｍｓｇ１バッファに記憶されているＭｓｇ１のデータ部分から新たなＨＡＲＱ送信データを生成してＭｓｇ１の再送を行う。
【００７３】
別の実施形態において、Ｍｓｇ１のデータ部分をネットワーク側機器に再送する場合、新規に生成されたＨＡＲＱプロセスデータである第２ＨＡＲＱプロセスデータを用いて、前記Ｍｓｇ１のデータ部分をネットワーク側機器に再送する。例えば、上記Ｍｓｇ１に対応するＨＡＲＱプロセスのバッファをクリアして、新たなＨＡＲＱ送信データを生成し、新たな変調符号化方式と新たな冗長バージョンを用いてＭｓｇ１再送を行う。
【００７４】
任意選択で、前記のＭｓｇ１のデータ部分を前記ネットワーク側機器に再送することは、ネットワークによって予め設定されたＭｓｇ１再送リソース情報及びＭｓｇ２内のＭｓｇ１再送リソース情報の少なくとも一方を含む第１リソース情報によって指示される伝送リソースに基づいて、Ｍｓｇ１のデータ部分を前記ネットワーク側機器に再送することを含む。
【００７５】
本開示の実施例において、前記Ｍｓｇ１を再送する伝送リソースは、ネットワークによって予め設定されてもよい。例えば、端末機器が２段階ランダムアクセスプロセスをトリガする前に、ネットワーク側機器は、Ｍｓｇ１の再送のための伝送リソースを指示するために、Ｍｓｇ１再送リソース情報を端末機器に対して設定する。例えば、Ｍｓｇ２内のＭｓｇ１再送リソース情報によってＭｓｇ１再送の伝送リソースを指示するように、Ｍｓｇ２によって指示されてもよい。
【００７６】
本開示の実施例において、第１リソース情報によって指示される伝送リソースに基づいて、Ｍｓｇ１のデータ部分を前記ネットワーク側機器に再送することによって、Ｍｓｇ１のデータ部分の再送成功率を向上させることができる。
【００７７】
任意選択で、前記Ｍｓｇ１再送リソース情報は、時間領域リソース情報、周波数領域リソース情報、空間領域リソース情報、ＨＡＲＱの設定情報及び変調符号化方式の少なくとも一方を含む。
【００７８】
本開示の実施例において、上記Ｍｓｇ１再送リソース情報は、Ｍｓｇ２内のＭｓｇ１再送信リソース情報であってもよく、ネットワークで予め設定されたＭｓｇ１再送リソース情報であってもよい。
【００７９】
上記時間領域リソース情報は、時間領域リソースを指示し、例えば、サブフレーム番号やスロット番号等である。上記周波数領域リソース情報は、周波数領域リソースを指示し、例えば、リソースブロックＲＢ（Ｒｅｓｏｕｒｃｅ  Ｂｌｏｃｋ）番号である。上記空間領域リソース情報は、空間領域リソースを指示し、例えば、上りグラントに対応する同期信号ブロックＳＳＢ（Ｓｙｎｃｈｒｏｎｏｕｓ  Ｓｉｇｎａｌ  Ｂｌｏｃｋ）又はチャネル状態情報参照信号ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）識別子等である。上記ＨＡＲＱの設定情報は、ＨＡＲＱプロセス識別子（例えば、ＨＡＲＱ  Ｐｒｏｃｅｓｓ  ＩＤ０）及びＨＡＲＱ冗長バージョン識別子（例えば、ＲＶ１）の少なくとも一方を含む。上記変調符号化方式は、２位相偏移変調ＢＰＳＫ（Ｂｉｎａｒｙ  Ｐｈａｓｅ  Ｓｈｉｆｔ  Ｋｅｙｉｎｇ）や４位相偏移変調ＱＰＳＫ（Ｑｕａｄｒａｔｕｒｅ  Ｐｈａｓｅ  Ｓｈｉｆｔ  Ｋｅｙｉｎｇ）等を含む。
【００８０】
なお、上記Ｍｓｇ１再送リソース情報は、１つ又は２つ以上の伝送リソースを指示する。例えば、上記Ｍｓｇ１再送リソース情報は、異なる端末機器のＭｓｇ１再送の再送リソースを指示する。
【００８１】
任意選択で、前記のＭｓｇ１のデータ部分をネットワーク側機器に再送することは、再送がトリガされた後、第１時間の経過を待ってＭｓｇ１のデータ部分を再送することを含む。
【００８２】
任意選択で、上記第１時間（即ち待ち時間）の決定方式は、以下のいずれかを含む。
第１時間は、ネットワーク側で予め設定された時間情報から決定される。例えば、ネットワーク側で設定された時間が１秒である場合、端末機器は、最大値が１ｓの時間範囲内でランダムに１つの時間を選択して第１時間（即ち待ち時間）とする。
第１時間は、Ｍｓｇ２によって指示される時間情報から決定される。例えば、Ｍｓｇ２によって指示される時間が１ｓであると、端末機器は、最大値が１ｓの時間範囲でランダムに１つの時間を選択して第１時間（即ち待ち時間）とする。
【００８３】
任意選択で、前記方法は、前記ネットワーク側機器から送信されたＭｓｇ２を受信することを更に含み、ここで、前記Ｍｓｇ２は、Ｍｓｇ１の識別子情報、Ｍｓｇ１再送リソース情報、Ｍｓｇ１再送の待ち時間情報、Ｍｓｇ１再送リソース情報と端末機器との対応関係、及びＭｓｇ１再送の待ち時間情報と端末機器との対応関係の少なくとも一方を含む。
【００８４】
本開示の実施例において、前記Ｍｓｇ１の識別子情報は、プリアンブル識別子及びデータチャネルの端末機器識別子の少なくとも一方を含む。上記データチャネルの端末機器識別子は、ＰＵＳＣＨ内のデータ識別子、例えばランダムアクセス無線ネットワーク一時識別子ＲＡ−ＲＮＴＩ（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）である。
【００８５】
上記Ｍｓｇ１再送リソース情報は、時間領域リソース情報、周波数領域リソース情報、空間領域リソース情報、ＨＡＲＱの設定情報及び変調符号化方式の少なくとも一方を含む。
【００８６】
上記Ｍｓｇ１再送の待ち時間情報は、Ｍｓｇ１再送の待ち時間を指示する。例えば、Ｍｓｇ２によって指示される時間が１ｓであると、端末機器は、最大値が１ｓの時間範囲でランダムに１つの時間を選択して待ち時間とし、再送がトリガされた後に、該時間の経過を待って再送する。
【００８７】
実際の応用において、上記Ｍｓｇ２は、複数の端末機器に対して送信され、上記Ｍｓｇ２内のＭｓｇ１再送リソース情報は、複数の端末機器に対するＭｓｇ１再送リソース情報を含み、上記Ｍｓｇ２内のＭｓｇ１再送の待ち時間情報は、複数の端末機器に対するＭｓｇ１再送の待ち時間情報を含む。
【００８８】
前記Ｍｓｇ２を受信した端末機器が、対応するＭｓｇ１再送リソース情報とＭｓｇ１再送の待ち時間情報を迅速に取得できるように、Ｍｓｇ１再送リソース情報と端末機器との対応関係、及びＭｓｇ１再送の待ち時間情報と端末機器との対応関係をＭｓｇ２に搬送する。例えば、Ｍｓｇ１再送リソース情報と端末機器の識別子情報（例えば、プリアンブル識別子、データチャネルの端末機器識別子など）との対応関係を確立し又はＭｓｇ１再送の待ち時間情報と端末機器の識別子情報との対応関係を確立することによって、対応関係に基づいて、端末機器に対応するＭｓｇ１再送リソース情報及び／又はＭｓｇ１再送の待ち時間情報を迅速に取得することができる。
【００８９】
任意選択で、前記データチャネルの端末機器識別子は、前記Ｍｓｇ１の送信位置から算出された無線ネットワーク一時識別子ＲＮＴＩである。
【００９０】
例えば、該ランダムアクセス無線ネットワーク一時識別子ＲＡ−ＲＮＴＩを、Ｍｓｇ１のデータ部分で送信されるＰＵＳＣＨ内のデータ識別子とする。なお、Ｍｓｇ１のデータ部分で送信されるＰＵＳＣＨのスクランブルコードにＲＮＴＩが含まれていない場合、データチャネルの端末機器識別子は、ＲＮＴＩを含まない。
【００９１】
本開示の実施例は、ネットワーク側機器に応用されるランダムアクセス方法を更に提供する。図４は、本開示の実施例に係る別のランダムアクセス方法のフローチャートであり、図４に示すように、以下のステップを含む。
【００９２】
ステップ４０１において、端末機器からＨＡＲＱ方式で送信されたＭｓｇ１のデータ部分を受信する。
【００９３】
本開示の実施例において、ＨＡＲＱの設定情報は、プロトコルで予め定義されてもよいし、ネットワーク側で設定されてもよい。上記ＨＡＲＱの設定情報は、ＨＡＲＱプロセス識別子及びＨＡＲＱ冗長バージョン識別子の少なくとも一方を含む。上記Ｍｓｇ１のデータ部分は、ＲＲＣメッセージなどである。なお、上記Ｍｓｇ１は、例えばプリアンブルなどの制御部分を更に含んでもよい。
【００９４】
ステップ４０２において、受信したＭｓｇ１のデータ部分を復号する。
【００９５】
本開示の実施例において、端末機器からＨＡＲＱ方式で送信されたＭｓｇ１のデータ部分を受信し、受信したＭｓｇ１のデータ部分を復号することによって、Ｍｓｇ１のデータ部分の送信成功率を向上させることができる。
【００９６】
実際、ネットワーク側機器は、複数のＭｓｇ１を受信する。任意選択で、受信したＭｓｇ１に同一のデータ部分に対応する少なくとも２つのＭｓｇ１が存在することを認識すると、前記少なくとも２つのＭｓｇ１のデータ部分をマージして復号し、例えば異なるＨＡＲＱ送信データをマージして復号することによって、Ｍｓｇ１のデータ部分の復号成功率を向上させる。
【００９７】
なお、複数のＭｓｇ１の送信が同一のデータ部分に対応する送信であることが認識できなければ、該複数のＭｓｇ１のデータ部分を個別に復号する。
【００９８】
任意選択で、受信したＭｓｇ１に同一のデータ部分に対応する少なくとも２つのＭｓｇ１が存在することを認識した場合、前記少なくとも２つのＭｓｇ１のデータ部分をマージして復号する前に、前記方法において、受信したＭｓｇ１のうちの同じ識別子情報の少なくとも２つのＭｓｇ１を、同一のデータ部分に対応する少なくとも２つのＭｓｇ１に決定すること、又は、受信したＭｓｇ１のうち、指定された伝送リソースで再送されるＭｓｇ１及びそれと同じ識別子情報のＭｓｇ１を、同一のデータ部分に対応する少なくとも２つのＭｓｇ１に決定することを更に含む。
【００９９】
本開示の実施例において、受信したＭｓｇ１のうちの同じ識別子情報の少なくとも２つのＭｓｇ１を、同一のデータ部分に対応する少なくとも２つのＭｓｇ１に決定し、例えば、ネットワーク側で復号された複数のＭｓｇ１のプリアンブル識別子（即ち、Ｐｒｅａｍｂｌｅ  ＩＤ）又はＰＵＳＣＨ内の端末機器識別子（即ち、ＵＥ  ＩＤ）が同一である場合、プリアンブル識別子又はＰＵＳＣＨ内の端末機器識別子が同一である複数のＭｓｇ１を、同一のデータ部分に対応するＭｓｇ１に決定し、ここでＰＵＳＣＨ内の端末機器識別子は、ランダムアクセス無線ネットワーク一時識別子ＲＡ−ＲＮＴＩである。
【０１００】
上記の受信したＭｓｇ１のうち、指定された伝送リソースで再送されるＭｓｇ１及びそれと同じ識別子情報のＭｓｇ１を、同一のデータ部分に対応する少なくとも２つのＭｓｇ１に決定することは、例えば、ネットワーク側では、あるＭｓｇ１のプリアンブル識別子（即ちＰｒｅａｍｂｌｅ  ＩＤ）又はＰＵＳＣＨ内の端末機器識別（即ちＵＥ  ＩＤ）が復号されるが、データ部分内容が復号されない。従って、該プリアンブル識別子又はＰＵＳＣＨ内の端末機器識別子により、該Ｍｓｇ１再送に用いる伝送リソースを端末機器に指定した場合、ネットワーク側では、該指定されたＭｓｇ１再送に用いる伝送リソースで受信したデータ部分が、Ｍｓｇ１で送信されるデータ部分と同一であると見なし、即ち、該複数のＭｓｇ１が同一のデータ部分の送信に対応する。
【０１０１】
任意選択で、前記方法において、Ｍｓｇ２を前記端末機器に送信することを更に含み、ここで、前記Ｍｓｇ２は、Ｍｓｇ１の識別子情報、Ｍｓｇ１再送のリソース情報、Ｍｓｇ１再送の待ち時間情報、Ｍｓｇ１再送のリソース情報と端末機器との対応関係、及びＭｓｇ１再送の待ち時間情報と端末機器との対応関係の少なくとも一方を含む。
【０１０２】
本開示の実施例において、前記Ｍｓｇ１の識別子情報は、プリアンブル識別子及びデータチャネルの端末機器識別子の少なくとも一方を含む。上記データチャネルの端末機器識別子は、ＰＵＳＣＨ内のデータ識別子、例えばランダムアクセス無線ネットワーク一時識別子ＲＡ−ＲＮＴＩ（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）である。
【０１０３】
上記Ｍｓｇ１再送リソース情報は、時間領域リソース情報、周波数領域リソース情報、空間領域リソース情報、ＨＡＲＱの設定情報及び変調符号化方式の少なくとも一方を含む。
【０１０４】
上記Ｍｓｇ１再送の待ち時間情報は、Ｍｓｇ１再送の待ち時間を指示する。例えば、Ｍｓｇ２によって指示される時間が１ｓであると、端末機器は、最大値が１ｓの時間範囲でランダムに１つの時間を選択して待ち時間とし、再送がトリガされた後に、該時間の経過を待って再送する。
【０１０５】
実際の応用において、上記Ｍｓｇ２は、複数の端末機器に対して送信され、上記Ｍｓｇ２内のＭｓｇ１再送リソース情報は、複数の端末機器に対するＭｓｇ１再送リソース情報を含み、上記Ｍｓｇ２内のＭｓｇ１再送の待ち時間情報は、複数の端末機器に対するＭｓｇ１再送の待ち時間情報を含む。
【０１０６】
前記Ｍｓｇ２を受信した端末機器が、対応するＭｓｇ１再送リソース情報とＭｓｇ１再送の待ち時間情報を迅速に取得できるように、Ｍｓｇ１再送リソース情報と端末機器との対応関係、及びＭｓｇ１再送の待ち時間情報と端末機器との対応関係をＭｓｇ２に搬送する。例えば、Ｍｓｇ１再送リソース情報と端末機器の識別子情報（例えば、プリアンブル識別子、データチャネルの端末機器識別子など）との対応関係を確立し又はＭｓｇ１再送の待ち時間情報と端末機器の識別子情報との対応関係を確立することによって、対応関係に基づいて、端末機器に対応するＭｓｇ１再送リソース情報及び／又はＭｓｇ１再送の待ち時間情報を迅速に取得することができる。
【０１０７】
本開示の実施例に係るランダムアクセス方法は、Ｍｓｇ１について、Ｍｓｇ１のデータ部分データを特定のＭｓｇ１バッファに記憶し、送信時にＨＡＲＱプロセスを用いて伝送する。ここで、該ＨＡＲＱプロセスは、端末機器の他の上りデータ送信のＨＡＲＱプロセスとは独立であってもよく、又は他の上りデータ送信のＨＡＲＱプロセスのうちの１つであり、指定されたＨＡＲＱの設定情報（例えばＲＶ０）を用いて初回伝送又は再送を行う。ランダムアクセスプロセスが完了すると、該ＨＡＲＱのバッファをクリアし、Ｍｓｇ１バッファをクリアする。Ｍｓｇ１の再送時には、Ｍｓｇ２のバックオフ指示ＢＩ（Ｂａｃｋｏｆｆ  Ｉｎｄｉｃａｔｏｒ）の値に応じて、一定期間待ってから再送を行う。
【０１０８】
Ｍｓｇ２について、特定のＭｓｇ１の送信をＭｓｇ２によって指示する。例えば、Ｍｓｇ１のプリアンブル（即ちＰｒｅａｍｂｌｅ）識別子又はデータチャネルの識別子（例えばＰＵＳＣＨ内の端末機器識別子）が復号されるが、Ｍｓｇ１で送信されるデータ部分が復号されない。Ｍｓｇ２は、該特定のＭｓｇ１送信に対し、バックオフ指示、再送が必要なＭｓｇ１の識別子情報（例えばプリアンブル識別子、端末機器識別子等）、Ｍｓｇ１再送リソース情報の少なくとも一方を含むＭｓｇ１再送の関連情報を指示する。なお、Ｍｓｇ１再送リソース情報は、１つ又は複数の端末機器のＭｓｇ１の再送に使用され、該Ｍｓｇ１再送リソース情報は、１つ又は複数の特定の送信リソースを指示する。
【０１０９】
本開示の実施例に係るランダムアクセス方法によれば、２段階ランダムアクセス（即ち２−Ｓｔｅｐ  ＲＡＣＨ）プロセスで特定のＨＡＲＱ方式でＭｓｇ１を送信することを実現することができ、Ｍｓｇ１の送信成功率を向上させる。同時にＭｓｇ２の補助情報によりＭｓｇ１の再送を指示し、ｍｓｇ１再送の送信成功率を向上させる。また、ネットワーク側は、Ｍｓｇ１の複数の送信をマージして復号することで、Ｍｓｇ１のデータ部分の復号成功率を向上させることができる。
【０１１０】
図５を参照する。図５は、本開示の実施例に係る端末機器の構造図である。図５に示すように、端末機器５００は、Ｍｓｇ１の伝送設定情報に基づいて、Ｍｓｇ１のデータ部分をネットワーク側機器に伝送する伝送モジュール５０１を含む。
【０１１１】
任意選択で、前記伝送モジュール５０１は、具体的には、Ｍｓｇ１のデータ部分をＨＡＲＱ方式で伝送することが前記伝送設定情報によって指示される場合、前記Ｍｓｇ１のデータ部分をＨＡＲＱ方式でネットワーク側機器に送信する。
【０１１２】
任意選択で、前記Ｍｓｇ１のデータ部分の伝送のためのＨＡＲＱの設定情報は、ＨＡＲＱプロセス識別子及びＨＡＲＱ冗長バージョン識別子の少なくとも一方を含む。
【０１１３】
任意選択で、前記伝送モジュール５０１は、具体的には、ＨＡＲＱ方式によらずにＭｓｇ１のデータ部分を伝送することが前記伝送設定情報によって指示される場合、ＨＡＲＱで符号化されないＭｓｇ１のデータ部分をネットワーク側機器に伝送する。
【０１１４】
任意選択で、前記のＭｓｇ１のデータ部分をネットワーク側機器に伝送することは、Ｍｓｇ１のデータ部分を前記ネットワーク側機器に再送することである。
【０１１５】
任意選択で、前記伝送モジュール５０１は、具体的には、再送条件が満たされた場合、Ｍｓｇ１の伝送設定情報に基づいて、前記Ｍｓｇ１のデータ部分をネットワーク側機器に再送し、ここで、前記再送条件は、前記Ｍｓｇ１のデータ部分に対応するＭｓｇ２内容がＭｓｇ２の受信時間範囲内に受信されなかったこと、前記Ｍｓｇ１の制御部分に対応するＭｓｇ２内容がＭｓｇ２の受信時間範囲内に受信されなかったこと、前記Ｍｓｇ１の再送が必要であることが受信したＭｓｇ２によって指示されることの少なくとも一方を含む。
【０１１６】
任意選択で、前記伝送モジュール５０１は、具体的には、前記Ｍｓｇ１のデータ部分を初回又は前回に伝送するＨＡＲＱプロセスデータと同じである第１ＨＡＲＱプロセスデータを用いて、前記Ｍｓｇ１のデータ部分をネットワーク側機器に再送し、又は、新規に生成されたＨＡＲＱプロセスデータである第２ＨＡＲＱプロセスデータを用いて、前記Ｍｓｇ１のデータ部分をネットワーク側機器に再送する。
【０１１７】
任意選択で、前記伝送モジュール５０１は、具体的には、ネットワークによって予め設定されたＭｓｇ１再送リソース情報及びＭｓｇ２内のＭｓｇ１再送リソース情報の少なくとも一方を含む第１リソース情報によって指示される伝送リソースに基づいて、Ｍｓｇ１のデータ部分を前記ネットワーク側機器に再送する。
【０１１８】
任意選択で、前記Ｍｓｇ１再送リソース情報は、時間領域リソース情報、周波数領域リソース情報、空間領域リソース情報、ＨＡＲＱの設定情報及び変調符号化方式の少なくとも一方を含む。
【０１１９】
任意選択で、前記端末機器は、前記ネットワーク側機器から送信されたＭｓｇ２を受信する受信モジュールを更に含み、ここで、前記Ｍｓｇ２は、Ｍｓｇ１の識別子情報、Ｍｓｇ１の再送リソース情報、Ｍｓｇ１再送の待ち時間情報、Ｍｓｇ１の再送リソース情報と端末機器との対応関係、及びＭｓｇ１再送の待ち時間情報と端末機器との対応関係の少なくとも一方を含む。
【０１２０】
任意選択で、前記Ｍｓｇ１の識別子情報は、プリアンブル識別子及びデータチャネルの端末機器識別子の少なくとも一方を含む。
【０１２１】
任意選択で、前記データチャネルの端末機器識別子は、前記Ｍｓｇ１の送信位置から算出された無線ネットワーク一時識別子ＲＮＴＩである。
【０１２２】
本開示の実施例に係る端末機器５００は、前記方法実施例で端末機器が実現した各プロセスを実現することができ、重複を避けるために、ここでは繰り返して述べない。
【０１２３】
本開示の実施例に係る端末機器５００は、Ｍｓｇ１の伝送設定情報に基づいて、Ｍｓｇ１のデータ部分を伝送モジュール５０１がネットワーク側機器に伝送することによって、２段階ランダムアクセスプロセスにおけるＭｓｇ１のデータ部分の伝送を実現することができ、２段階ランダムアクセスプロセスにおけるＭｓｇ１の伝送方式を標準化し、２段階ランダムアクセスプロセスにおけるＭｓｇ１の伝送に解決策を提供する。
【０１２４】
図６を参照する。図６は、本開示の実施例に係るネットワーク側機器の構造図である。図６に示すように、ネットワーク側機器６００は、端末機器からＨＡＲＱ方式で送信されたＭｓｇ１のデータ部分を受信する受信モジュール６０１と、受信したＭｓｇ１のデータ部分を復号する復号モジュール６０２とを含む。
【０１２５】
任意選択で、前記ネットワーク側機器６００は、Ｍｓｇ２を前記端末機器に送信する送信モジュールを更に含み、ここで、前記Ｍｓｇ２は、Ｍｓｇ１の識別子情報、Ｍｓｇ１再送リソース情報、Ｍｓｇ１再送の待ち時間情報、Ｍｓｇ１再送リソース情報と端末機器との対応関係、及びＭｓｇ１再送の待ち時間情報と端末機器との対応関係の少なくとも一方を含む。
【０１２６】
任意選択で、前記Ｍｓｇ１の識別子情報は、プリアンブル識別子及びデータチャネルの端末機器識別子の少なくとも一方を含む。
【０１２７】
本開示の実施例に係るネットワーク側機器６００は、前記方法実施例でネットワーク側機器が実現した各プロセスを実現することができ、重複を避けるために、ここでは繰り返して述べない。
【０１２８】
本開示の実施例に係るネットワーク側機器６００は、受信モジュール６０１が端末機器からＨＡＲＱ方式で送信されたＭｓｇ１のデータ部分を受信し、復号モジュール６０２が受信したＭｓｇ１のデータ部分を復号することによって、Ｍｓｇ１のデータ部分の送信成功率を高めることができる。
【０１２９】
図７は、本開示の実施例に係る別の端末機器の構造図である。図７に示すように、該端末機器７００は、ラジオ周波数ユニット７０１と、ネットワークモジュール７０２と、音声出力ユニット７０３と、入力ユニット７０４と、センサ７０５と、表示ユニット７０６と、ユーザ入力ユニット７０７と、インタフェースユニット７０８と、メモリ７０９と、プロセッサ７１０と、電源７１１などの設定要素を含むが、これらに限定されない。図７に示される端末機器７００の構造は、端末を限定するものではなく、端末機器７００は、図示されるよりも多い又は少ない設定要素、又は特定の設定要素の組み合わせ、又は異なる設定要素の配置を含むことができることを、当業者は理解可能である。本開示の実施例において、端末機器７００は、携帯電話、タブレットパソコン、ノートパソコン、パームトップパソコン、車載端末、ウェアラブルデバイス及び歩数計などを含むが、それらに限定されない。
【０１３０】
ここで、プロセッサ７１０は、Ｍｓｇ１の伝送設定情報に基づいて、Ｍｓｇ１のデータ部分をネットワーク側機器に伝送する。
【０１３１】
本開示の実施例は、Ｍｓｇ１の伝送設定情報に基づいて、Ｍｓｇ１のデータ部分をネットワーク側機器に伝送することによって、２段階ランダムアクセスプロセスにおけるＭｓｇ１のデータ部分の伝送を実現することができ、２段階ランダムアクセスプロセスにおけるＭｓｇ１の伝送方式を標準化し、２段階ランダムアクセスプロセスにおけるＭｓｇ１の伝送に解決策を提供する。
【０１３２】
任意選択で、前記プロセッサ７１０は、更に、Ｍｓｇ１のデータ部分をＨＡＲＱ方式で伝送することが前記伝送設定情報によって指示される場合、前記Ｍｓｇ１のデータ部分をＨＡＲＱ方式でネットワーク側機器に送信する。
【０１３３】
任意選択で、前記Ｍｓｇ１のデータ部分の伝送のためのＨＡＲＱの設定情報は、ＨＡＲＱプロセス識別子及びＨＡＲＱ冗長バージョン識別子の少なくとも一方を含む。
【０１３４】
任意選択で、前記プロセッサ７１０は、更に、ＨＡＲＱ方式によらずにＭｓｇ１のデータ部分を伝送することが前記伝送設定情報によって指示される場合、ＨＡＲＱで符号化されないＭｓｇ１のデータ部分をネットワーク側機器に伝送する。
【０１３５】
任意選択で、前記のＭｓｇ１のデータ部分をネットワーク側機器に伝送することは、Ｍｓｇ１のデータ部分を前記ネットワーク側機器に再送することである。
【０１３６】
任意選択で、前記プロセッサ７１０は、更に、再送条件が満たされた場合、Ｍｓｇ１の伝送設定情報に基づいて、前記Ｍｓｇ１のデータ部分をネットワーク側機器に再送し、ここで、前記再送条件は、前記Ｍｓｇ１のデータ部分に対応するＭｓｇ２内容がＭｓｇ２の受信時間範囲内に受信されなかったこと、前記Ｍｓｇ１の制御部分に対応するＭｓｇ２内容がＭｓｇ２の受信時間範囲内に受信されなかったこと、前記Ｍｓｇ１の再送が必要であることが受信したＭｓｇ２によって指示されることの少なくとも一方を含む。
【０１３７】
任意選択で、前記プロセッサ７１０は、更に、前記Ｍｓｇ１のデータ部分を初回又は前回に伝送するＨＡＲＱプロセスデータと同じである第１ＨＡＲＱプロセスデータを用いて、前記Ｍｓｇ１のデータ部分をネットワーク側機器に再送し、又は、新規に生成されたＨＡＲＱプロセスデータである第２ＨＡＲＱプロセスデータを用いて、前記Ｍｓｇ１のデータ部分をネットワーク側機器に再送する。
【０１３８】
任意選択で、前記プロセッサ７１０は、更に、ネットワークによって予め設定されたＭｓｇ１再送リソース情報及びＭｓｇ２内のＭｓｇ１再送リソース情報の少なくとも一方を含む第１リソース情報によって指示される伝送リソースに基づいて、Ｍｓｇ１のデータ部分を前記ネットワーク側機器に再送する。
【０１３９】
任意選択で、前記Ｍｓｇ１再送リソース情報は、時間領域リソース情報、周波数領域リソース情報、空間領域リソース情報、ＨＡＲＱの設定情報及び変調符号化方式の少なくとも一方を含む。
【０１４０】
任意選択で、前記プロセッサ７１０は、更に、前記ネットワーク側機器から送信されたＭｓｇ２を受信し、ここで、前記Ｍｓｇ２は、Ｍｓｇ１の識別子情報、Ｍｓｇ１再送リソース情報、Ｍｓｇ１再送の待ち時間情報、Ｍｓｇ１再送リソース情報と端末機器との対応関係、及びＭｓｇ１再送の待ち時間情報と端末機器との対応関係の少なくとも一方を含む。
【０１４１】
任意選択で、前記Ｍｓｇ１の識別子情報は、プリアンブル識別子及びデータチャネルの端末機器識別子の少なくとも一方を含む。
【０１４２】
任意選択で、前記データチャネルの端末機器識別子は、前記Ｍｓｇ１の送信位置から算出された無線ネットワーク一時識別子ＲＮＴＩである。
【０１４３】
なお、本開示の実施例において、ラジオ周波数ユニット７０１は、情報の送受信又は通話中で信号の送受信に用いられ、具体的に、基地局から下りデータを受信した後、プロセッサ７１０による処理に供し、また、上りデータを基地局に送信する。一般に、ラジオ周波数ユニット７０１は、アンテナ、少なくとも１つの増幅器、トランシーバ、結合器、低雑音増幅器、デュプレクサなどを含むが、それらに限定されない。また、ラジオ周波数ユニット７０１は、無線通信システムを介してネットワークや他の機器と通信を行うこともできる。
【０１４４】
端末機器は、ネットワークモジュール７０２を介して、電子メールの送受信、ウェブページの閲覧、ストリーミングメディアへのアクセスを支援するなど、無線ブロードバンドインターネットアクセスをユーザに提供する。
【０１４５】
音声出力ユニット７０３は、ラジオ周波数ユニット７０１やネットワークモジュール７０２が受信した音声データや、メモリ７０９に記憶された音声データを音声信号に変換して音声として出力することができる。また、音声出力ユニット７０３は、端末機器７００が実行する特定の機能に関する音声（例えば、呼出信号着信音、メッセージ着信音等）を出力してもよい。音声出力ユニット７０３は、スピーカ、ブザー及びレシーバなどを含む。
【０１４６】
入力ユニット７０４は、音声や映像の信号を受信することに用いられる。入力ユニット７０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）７０４１と、マイク７０４２とを含む。処理された画像フレームは、表示ユニット７０６上に表示される。グラフィックスプロセッサ７０４１で処理された画像フレームは、メモリ７０９（又は他の記憶媒体）に記憶されるか、又はラジオ周波数ユニット７０１又はネットワークモジュール７０２を介して送信される。マイク７０４２は、音声を受信し、音声データに加工することができる。処理された音声データは、電話通話モードの場合、ラジオ周波数ユニット７０１を介して移動体通信基地局に送信可能な形式に変換して出力することができる。
【０１４７】
端末機器７００は、光センサ、モーションセンサ及び他のセンサのような少なくとも１つのセンサ７０５を更に含む。具体的には、光センサは、周辺光センサ及び近接センサを含む。周辺光センサは、周辺光の明暗に応じて表示パネル７０６１の輝度を調節し、近接センサは、端末機器７００が耳に移動したときに表示パネル７０６１及び／又はバックライトを消灯する。モーションセンサの１種として、加速度計センサは、様々な方向（一般的には３軸）の加速度の大きさを検出でき、静止時は重力の大きさ及び方向を検出でき、端末機器姿勢の認識（例えば、縦横画面切替、関連ゲーム、磁力計姿勢キャリブレーション）、振動認識関連機能（例えば、歩数計、ストローク）などに用いることができる。センサ７０５は、指紋センサ、圧力センサ、虹彩センサ、分子センサ、ジャイロスコープ、気圧計、湿度計、温度計、赤外線センサなどを更に含むことができるが、ここでは枚挙しない。
【０１４８】
表示ユニット７０６は、ユーザが入力した情報やユーザに提供した情報を表示するために用いられる。表示ユニット７０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル７０６１を含んでもよい。
【０１４９】
ユーザ入力ユニット７０７は、数字や文字情報の入力を受け付け、ユーザによる端末機器の設定や機能制御に関するキー信号の入力を行うことに用いられる。具体的に、ユーザ入力ユニット７０７は、タッチパネル７０７１と、その他の入力機器７０７２とを含む。タッチパネル７０７１は、タッチスクリーンとも呼ばれ、その上又は付近でのユーザのタッチ操作を取得可能である（例えばユーザが指やスタイラスなどの任意の適切な物体や付属部材を用いたタッチパネル７０７１の上又はタッチパネル７０７１の付近での操作）。タッチパネル７０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ７１０に送り、プロセッサ７１０からの命令を受信して実行する。なお、タッチパネル７０７１は、抵抗膜式、静電容量式、赤外線、表面弾性波など、種々の方式を用いて実現することができる。ユーザ入力ユニット７０７は、タッチパネル７０７１の他に、他の入力機器７０７２を含んでもよい。具体的に、他の入力機器７０７２は、物理的なキーボード、機能キー（例えば、音量調節キー、スイッチキーなど）、トラックボール、マウス、レバーを含むが、ここでは枚挙しない。
【０１５０】
更に、タッチパネル７０７１は、表示パネル７０６１に重ねられる。タッチパネル７０７１は、その上又はその近くでタッチ操作を検出すると、プロセッサ７１０に送信して、タッチイベントのタイプを決定する。次いで、プロセッサ７１０は、タッチイベントのタイプに応じて、対応する視覚的出力を表示パネル７０６１に提供する。図７では、タッチパネル７０７１と表示パネル７０６１は、独立した２つの部品として端末の入出力機能を実現するが、実施例によっては、タッチパネル７０７１と表示パネル７０６１を一体化して端末機器７００の入出力機能を実現することもでき、具体的にここでは限定しない。
【０１５１】
インタフェースユニット７０８は、外部装置と端末機器７００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット７０８は、外部装置から入力（例えば、データ情報、電力など）を受信し、受信した入力を端末機器７００内の１つ以上の要素に伝送するために使用されてもよく、又は端末機器７００と外部装置との間でデータを伝送するために使用されてもよい。
【０１５２】
メモリ７０９は、ソフトウェアプログラム及び様々なデータを格納するために使用される。メモリ７０９は、オペレーティングシステム、少なくとも１つの機能に必要なアプリケーション（例えば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ７０９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０１５３】
プロセッサ７１０は、端末機器の制御センタであり、各種インタフェースや回線を用いて端末機器全体の各部を接続し、メモリ７０９に格納されたソフトウェアプログラム及び／又はモジュールを実行、メモリ７０９に格納されたデータを呼び出して端末機器の各種機能及び処理データを実行し、端末機器全体の監視を行う。プロセッサ７１０は、１つ以上の処理ユニットを含んでもよい。任意選択で、プロセッサ７１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ７１０に統合されなくてもよいことが理解される。
【０１５４】
端末機器７００は、各設定要素に電力を供給するためのバッテリのような電源７１１を更に含んでもよい。選択可能に、電源７１１は、電源管理システムを介してプロセッサ７１０に論理的に接続されてもよく、電源管理システムを介して充電、放電、及び消費電力管理などを管理する機能を実現してもよい。
【０１５５】
また、端末機器７００は、図示しない機能モジュールを更に含んでもよく、ここでの説明は省略する。
【０１５６】
任意選択で、本開示の実施例は、プロセッサ７１０と、メモリ７０９と、メモリ７０９に格納されて前記プロセッサ７１０で動作可能なコンピュータプログラムを含む端末機器を更に提供し、該コンピュータプログラムがプロセッサ７１０によって実行されると、上記ランダムアクセス方法の実施例の各プロセスが実現され、且つ同じ技術効果を奏することもできるので、重複を避けるために、ここでは繰り返して記載しない。
【０１５７】
図８を参照する。図８は、本開示の実施例に係る別のネットワーク側機器の構造図である。該ネットワーク側機器は、ソースノード又はターゲットノードである。図８に示すように、ネットワーク側機器８００は、プロセッサ８０１と、メモリ８０２と、バスインタフェース８０３と、トランシーバ８０４を含む。ここで、プロセッサ８０１、メモリ８０２及びトランシーバ８０４は、いずれもバスインタフェース８０３に接続される。
【０１５８】
ここで、本開示の実施例において、ネットワーク側機器８００は、メモリ８０２に格納されてプロセッサ８０１で実行可能なコンピュータプログラムを更に含む。コンピュータプログラムがプロセッサ８０１によって実行されると、端末機器からＨＡＲＱ方式で送信されたＭｓｇ１のデータ部分を受信するステップと、受信したＭｓｇ１のデータ部分を復号するステップとが実現される。
【０１５９】
任意選択で、前記コンピュータプログラムがプロセッサ８０１によって実行されると、更に、Ｍｓｇ２を前記端末機器に送信する。ここで、前記Ｍｓｇ２は、Ｍｓｇ１の識別子情報、Ｍｓｇ１再送リソース情報、Ｍｓｇ１再送の待ち時間情報、Ｍｓｇ１再送リソース情報と端末機器との対応関係、及びＭｓｇ１再送の待ち時間情報と端末機器との対応関係の少なくとも一方を含む。
【０１６０】
任意選択で、前記Ｍｓｇ１の識別子情報は、プリアンブル識別子及びデータチャネルの端末機器識別子の少なくとも一方を含む。
【０１６１】
本開示の実施例は、プロセッサ８０１と、メモリ８０８と、メモリ８０２に格納されて前記プロセッサ８０１で動作可能なコンピュータプログラムを含むネットワーク側機器を更に提供し、該コンピュータプログラムがプロセッサ８０１によって実行されると、上記ランダムアクセス方法の実施例の各プロセスが実現され、且つ同じ技術効果を奏することもできるので、重複を避けるために、ここでは繰り返して記載しない。
【０１６２】
本開示の実施例は、コンピュータプログラムが格納されているコンピュータ読み取り可能な記憶媒体を更に提供し、該コンピュータプログラムがプロセッサによって実行されると、上記ランダムアクセス方法の実施例の各プロセスが実現され、且つ同じ技術効果を奏することもできるので、重複を避けるために、ここでは繰り返して記載しない。ここで、コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどなどである。
【０１６３】
なお、本明細書において、「含む」や「含有する」又はそれ以外のあらゆる変形用語は、非排他的に含むことを意味する。よって、一連の要素を含むプロセス、方法、物又は装置は、それらの要素を含むだけではなく、明確に列挙されていない他の要素を更に含み、又はこのようなプロセス、方法、物又は装置に固有の要素を更に含む。特に限定されない限り、「・・・を１つ含む」の表現によって限定される要素について、当該要素を含むプロセス、方法、物又は装置に他の同一要素の存在を除外しない。
【０１６４】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【０１６５】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021531701.tif 000003
【図２】
2021531701.tif 000004
【図３】
2021531701.tif 000005
【図４】
2021531701.tif 000006
【図５】
2021531701.tif 000007
【図６】
2021531701.tif 000008
【図７】
2021531701.tif 000009
【図８】
2021531701.tif 000010
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
端末機器に応用されるランダムアクセス方法であって、
Ｍｓｇ１の伝送設定情報に基づいて、Ｍｓｇ１のデータ部分をネットワーク側機器に伝送することを含み、
前記のＭｓｇ１の伝送設定情報に基づいて、Ｍｓｇ１のデータ部分をネットワーク側機器に伝送することは、
Ｍｓｇ１のデータ部分をＨＡＲＱ方式で伝送することが前記伝送設定情報によって指示される場合、前記Ｍｓｇ１のデータ部分をＨＡＲＱ方式でネットワーク側機器に送信することを含み、
前記Ｍｓｇ１のデータ部分の伝送のためのＨＡＲＱの設定情報は、ＨＡＲＱプロセス識別子及びＨＡＲＱ冗長バージョン識別子の少なくとも一方を含む、ランダムアクセス方法。
【請求項２】
前記のＭｓｇ１のデータ部分をネットワーク側機器に伝送することは、
Ｍｓｇ１のデータ部分を前記ネットワーク側機器に再送することである、請求項１に記載のランダムアクセス方法。
【請求項３】
前記のＭｓｇ１の伝送設定情報に基づいて、Ｍｓｇ１のデータ部分をネットワーク側機器に伝送することは、
再送条件が満たされた場合、Ｍｓｇ１の伝送設定情報に基づいて、前記Ｍｓｇ１のデータ部分をネットワーク側機器に再送することを含み、
前記再送条件は、
前記Ｍｓｇ１のデータ部分に対応するＭｓｇ２内容がＭｓｇ２の受信時間範囲内に受信されなかったこと、前記Ｍｓｇ１の制御部分に対応するＭｓｇ２内容がＭｓｇ２の受信時間範囲内に受信されなかったこと、前記Ｍｓｇ１の再送が必要であることが受信したＭｓｇ２によって指示されることの少なくとも一方を含む、請求項２に記載のランダムアクセス方法。
【請求項４】
前記のＭｓｇ１のデータ部分の伝送設定情報に基づいて、Ｍｓｇ１のデータ部分をネットワーク側機器に伝送することは、
前記Ｍｓｇ１のデータ部分を初回又は前回に伝送するデータと同じである第１データを用いて、前記Ｍｓｇ１のデータ部分をネットワーク側機器に再送すること、
又は、
新規に生成されたデータである第２データを用いて、前記Ｍｓｇ１のデータ部分をネットワーク側機器に再送することを含む、請求項２に記載のランダムアクセス方法。
【請求項５】
前記のＭｓｇ１のデータ部分を前記ネットワーク側機器に再送することは、
ネットワークによって予め設定されたＭｓｇ１再送リソース情報及びＭｓｇ２内のＭｓｇ１再送リソース情報の少なくとも一方を含む第１リソース情報によって指示される伝送リソースに基づいて、Ｍｓｇ１のデータ部分を前記ネットワーク側機器に再送することを含み、
前記Ｍｓｇ１再送リソース情報は、
時間領域リソース情報、周波数領域リソース情報、空間領域リソース情報、ＨＡＲＱの設定情報及び変調符号化方式の少なくとも一方を含む、請求項２に記載のランダムアクセス方法。
【請求項６】
前記ネットワーク側機器から送信されたＭｓｇ２を受信することを更に含み、
前記Ｍｓｇ２は、
Ｍｓｇ１の識別子情報、Ｍｓｇ１再送リソース情報、Ｍｓｇ１再送の待ち時間情報、Ｍｓｇ１再送リソース情報と端末機器との対応関係、及びＭｓｇ１再送の待ち時間情報と端末機器との対応関係の少なくとも一方を含み、
前記Ｍｓｇ１の識別子情報は、
プリアンブル識別子及びデータチャネルの端末機器識別子の少なくとも一方を含む、請求項１に記載のランダムアクセス方法。
【請求項７】
ネットワーク側機器に応用されるランダムアクセス方法であって、
端末機器からＨＡＲＱ方式で送信されたＭｓｇ１のデータ部分を受信することと、
受信したＭｓｇ１のデータ部分を復号することとを含む、ランダムアクセス方法。
【請求項８】
Ｍｓｇ２を前記端末機器に送信することを更に含み、
前記Ｍｓｇ２は、
Ｍｓｇ１の識別子情報、Ｍｓｇ１再送リソース情報、Ｍｓｇ１再送の待ち時間情報、Ｍｓｇ１再送リソース情報と端末機器との対応関係、及びＭｓｇ１再送の待ち時間情報と端末機器との対応関係の少なくとも一方を含み、
前記Ｍｓｇ１の識別子情報は、
プリアンブル識別子及びデータチャネルの端末機器識別子の少なくとも一方を含む、請求項７に記載のランダムアクセス方法。
【請求項９】
Ｍｓｇ１の伝送設定情報に基づいて、Ｍｓｇ１のデータ部分をネットワーク側機器に伝送する伝送モジュールを含み、
前記伝送モジュールは、
Ｍｓｇ１のデータ部分をＨＡＲＱ方式で伝送することが前記伝送設定情報によって指示される場合、前記Ｍｓｇ１のデータ部分をＨＡＲＱ方式でネットワーク側機器に送信し、
前記Ｍｓｇ１のデータ部分の伝送のためのＨＡＲＱの設定情報は、ＨＡＲＱプロセス識別子及びＨＡＲＱ冗長バージョン識別子の少なくとも一方を含む、端末機器。
【請求項１０】
前記のＭｓｇ１のデータ部分をネットワーク側機器に伝送することは、
Ｍｓｇ１のデータ部分を前記ネットワーク側機器に再送することである、請求項９に記載の端末機器。
【請求項１１】
前記伝送モジュールは、
再送条件が満たされた場合、Ｍｓｇ１の伝送設定情報に基づいて、前記Ｍｓｇ１のデータ部分をネットワーク側機器に再送し、
前記再送条件は、
前記Ｍｓｇ１のデータ部分に対応するＭｓｇ２内容がＭｓｇ２の受信時間範囲内に受信されなかったこと、前記Ｍｓｇ１の制御部分に対応するＭｓｇ２内容がＭｓｇ２の受信時間範囲内に受信されなかったこと、前記Ｍｓｇ１の再送が必要であることが受信したＭｓｇ２によって指示されることの少なくとも一方を含む、請求項１０に記載の端末機器。
【請求項１２】
前記伝送モジュールは、
前記Ｍｓｇ１のデータ部分を初回又は前回に伝送するデータと同じである第１データを用いて、前記Ｍｓｇ１のデータ部分をネットワーク側機器に再送し、
又は、
新規に生成されたデータである第２データを用いて、前記Ｍｓｇ１のデータ部分をネットワーク側機器に再送する、請求項１０に記載の端末機器。
【請求項１３】
前記伝送モジュールは、
ネットワークによって予め設定されたＭｓｇ１再送リソース情報及びＭｓｇ２内のＭｓｇ１再送リソース情報の少なくとも一方を含む第１リソース情報によって指示される伝送リソースに基づいて、Ｍｓｇ１のデータ部分を前記ネットワーク側機器に再送し、
前記Ｍｓｇ１再送リソース情報は、
時間領域リソース情報、周波数領域リソース情報、空間領域リソース情報、ＨＡＲＱの設定情報及び変調符号化方式の少なくとも一方を含む、請求項１０に記載の端末機器。
【請求項１４】
前記ネットワーク側機器から送信されたＭｓｇ２を受信する受信モジュールを更に含み、
前記Ｍｓｇ２は、
Ｍｓｇ１の識別子情報、Ｍｓｇ１再送リソース情報、Ｍｓｇ１再送の待ち時間情報、Ｍｓｇ１再送リソース情報と端末機器との対応関係、及びＭｓｇ１再送の待ち時間情報と端末機器との対応関係の少なくとも一方を含み、
前記Ｍｓｇ１の識別子情報は、
プリアンブル識別子及びデータチャネルの端末機器識別子の少なくとも一方を含む、請求項９に記載の端末機器。
【請求項１５】
端末機器からＨＡＲＱ方式で送信されたＭｓｇ１のデータ部分を受信する受信モジュールと、
受信したＭｓｇ１のデータ部分を復号する復号モジュールとを含む、ネットワーク側機器。
【請求項１６】
Ｍｓｇ２を前記端末機器に送信する送信モジュールを更に含み、
前記Ｍｓｇ２は、
Ｍｓｇ１の識別子情報、Ｍｓｇ１再送リソース情報、Ｍｓｇ１再送の待ち時間情報、Ｍｓｇ１再送リソース情報と端末機器との対応関係、及びＭｓｇ１再送の待ち時間情報と端末機器との対応関係の少なくとも一方を含み、
前記Ｍｓｇ１の識別子情報は、
プリアンブル識別子及びデータチャネルの端末機器識別子の少なくとも一方を含む、請求項１５に記載のネットワーク側機器。
【請求項１７】
コンピュータプログラムが格納されているコンピュータ読み取り可能な記憶媒体であって、
前記コンピュータプログラムがプロセッサによって実行されると、請求項１〜８のいずれか１項に記載のランダムアクセス方法のステップが実現される、コンピュータ読み取り可能な記憶媒体。
【国際調査報告】
2021531701.tif 000011
2021531701.tif 000012
2021531701.tif 000013
2021531701.tif 000014